(57)【特許請求の範囲】
【請求項１】
プリンタ、コピー、およびファクシミリを含む少なくとも３種類の機能ブロックを有する複合機であって、
画像データを記憶するメモリ部と、
画像データを記録紙に転写する現像部と、
該現像部にて前記記録紙に転写されたトナー画像を熱定着する、ヒータを含む定着部と、
該定着部のヒータを制御するヒータ制御部と、
各機能ブロックで実施されるジョブごとのプリント動作の優先度に対する、どのような条件の場合にヒートアップ動作を行うかを設定した動作テーブルを予め登録する優先ジョブ登録部と、
操作者が装置動作を起動する時或いはファクシミリ受信時に、各ジョブに対して予め登録された前記動作テーブルの中から優先度の１つを指定し確定して、該確定した優先度ごとの前記動作テーブルに沿った動作を行う手段と、
該動作テーブルに沿った動作を行う際に、印刷動作を起動するとした時、前記ヒータ制御部を制御して前記定着部のヒータをヒートアップして、画像データを記録出力する手段と、
前記ヒートアップを実施した場合に、前記メモリ部に記憶しているすべての画像データを読み出して一括記録出力する手段と、
前記記録出力が完了した後、前記メモリ部の画像データを削除し、前記ヒータ制御部を制御して前記定着部のヒータをオフする手段と、
を備えた複合機。
【請求項２】
操作者が実施したジョブの状況を前記操作者に通知するメール送信部を更に有する、請求項１に記載の複合機。
【請求項３】
ファクシミリ受信時に相手先電話番号を表示する番号ディスプレイ検出部を更に有する、請求項１又は２に記載の複合機。
【請求項４】
前記優先ジョブ登録部は、前記プリンタおよび前記コピーの機能ブロックについての前記優先度を、少なくとも時間、受信ジョブ数、および動作起動までの回数の組合せによって規定して登録している、請求項１乃至３のいずれか１つに記載の複合機。
【請求項５】
前記優先ジョブ登録部は、前記プリンタおよび前記コピーの機能ブロックについての前記優先度を、前記メモリ部のメモリ容量によっても規定して登録している、請求項４に記載の複合機。
【請求項６】
前記優先ジョブ登録部は、前記ファクシミリの機能ブロックについての前記優先度を、少なくとも時間、動作起動までの回数、および受信画品質の組合せによって規定して登録している、請求項１乃至５のいずれか１つに記載の複合機。
【請求項７】
前記優先ジョブ登録部は、前記ファクシミリの機能ブロックについての前記優先度を、前記メモリ部のメモリ容量によっても規定して登録している、請求項６に記載の複合機。
【請求項８】
プリンタ、コピー、およびファクシミリを含む少なくとも３種類の機能ブロックを有する複合機を制御する方法であって、前記複合機は、画像データを記憶するメモリ部と、画像データを記録紙に転写する現像部と、該現像部にて前記記録紙に転写されたトナー画像を熱定着する、ヒータを含む定着部と、該定着部のヒータを制御するヒータ制御部と、を含み、前記複合機の制御方法は、
各機能ブロックで実施されるジョブごとのプリント動作の優先度に対する、どのような条件の場合にヒートアップ動作を行うかを設定した動作テーブルを予め優先ジョブ登録部に登録するステップと、
操作者が装置動作を起動する時或いはファクシミリ受信時に、各ジョブに対して予め登録された前記動作テーブルの中から優先度の１つを指定し確定して、該確定した優先度ごとの前記動作テーブルに沿った動作を行うステップと、
該動作テーブルに沿った動作を行う際に、印刷動作を起動するとした時、前記ヒータ制御部を制御して前記定着部のヒータをヒートアップして、画像データを記録出力するステップと、
前記ヒートアップを実施した場合に、前記メモリ部に記憶しているすべての画像データを読み出して一括記録出力するステップと、
前記記録出力が完了した後、前記メモリ部の画像データを削除し、前記ヒータ制御部を制御して前記定着部のヒータをオフするステップと、
を含む複合機の制御方法。
【請求項９】
操作者が実施したジョブの状況を前記操作者に通知するステップを更に有する、請求項８に記載の複合機の制御方法。
【請求項１０】
ファクシミリ受信時に相手先電話番号を表示するステップを更に有する、請求項８又は９に記載の複合機の制御方法。
【請求項１１】
前記プリンタおよび前記コピーの機能ブロックについての前記優先度を、少なくとも時間、受信ジョブ数、および動作起動までの回数の組合せによって規定して、前記優先ジョブ登録部に登録する、請求項８乃至１０のいずれか１つに記載の複合機の制御方法。
【請求項１２】
前記プリンタおよび前記コピーの機能ブロックについての前記優先度を、前記メモリ部のメモリ容量によっても規定して、前記優先ジョブ登録部に登録する、請求項１１に記載の複合機の制御方法。
【請求項１３】
前記ファクシミリの機能ブロックについての前記優先度を、少なくとも時間、動作起動までの回数、および受信画品質の組合せによって規定して、前記優先ジョブ登録部に登録する、請求項８乃至１２のいずれか１つに記載の複合機の制御方法。
【請求項１４】
前記ファクシミリの機能ブロックについての前記優先度を、前記メモリ部のメモリ容量によっても規定して、前記優先ジョブ登録部に登録する、請求項１３に記載の複合機の制御方法。
【請求項１５】
プリンタ、コピー、およびファクシミリを含む少なくとも３種類の機能ブロックを有する複合機であって、画像データを記憶するメモリ部と、画像データを記録紙に転写する現像部と、該現像部にて前記記録紙に転写されたトナー画像を熱定着する、ヒータを含む定着部と、該定着部のヒータを制御するヒータ制御部と、を含む前記複合機のコンピュータに、
各機能ブロックで実施されるジョブごとのプリント動作の優先度に対する、どのような条件の場合にヒートアップ動作を行うかを設定した動作テーブルを予め優先ジョブ登録部に登録する手順と、
操作者が装置動作を起動する時或いはファクシミリ受信時に、各ジョブに対して予め登録された前記動作テーブルの中から優先度の１つを指定し確定して、該確定した優先度ごとの前記動作テーブルに沿った動作を行う手順と、
該動作テーブルに沿った動作を行う際に、印刷動作を起動するとした時、前記ヒータ制御部を制御して前記定着部のヒータをヒートアップして、画像データを記録出力する手順と、
前記ヒートアップを実施した場合に、前記メモリ部に記憶しているすべての画像データを読み出して一括記録出力する手順と、
前記記録出力が完了した後、前記メモリ部の画像データを削除し、前記ヒータ制御部を制御して前記定着部のヒータをオフする手順と、
を実行させるための複合機用制御プログラム。
【請求項１６】
前記複合機のコンピュータに、
操作者が実施したジョブの状況を前記操作者に通知する手順を更に実行させる、請求項１５に記載の複合機用制御プログラム。
【請求項１７】
ファクシミリ受信時に相手先電話番号を表示する手順を更に実行させる、請求項１５又は１６に記載の複合機用制御プログラム。
【請求項１８】
前記優先度を登録する手順は、
前記プリンタおよび前記コピーの機能ブロックについての前記優先度を、少なくとも時間、受信ジョブ数、および動作起動までの回数の組合せによって規定して、前記優先ジョブ登録部に登録する、請求項１５乃至１７のいずれか１つに記載の複合機用制御プログラム。
【請求項１９】
前記優先度を登録する手順は、
前記プリンタおよび前記コピーの機能ブロックについての前記優先度を、前記メモリ部のメモリ容量によっても規定して、前記優先ジョブ登録部に登録する、請求項１８に記載の複合機用制御プログラム。
【請求項２０】
前記優先度を登録する手順は、
前記ファクシミリの機能ブロックについての前記優先度を、少なくとも時間、動作起動までの回数、および受信画品質の組合せによって規定して、前記優先ジョブ登録部に登録する、請求項１５乃至１９のいずれか１つに記載の複合機用制御プログラム。
【請求項２１】
前記優先度を登録する手順は、
前記ファクシミリの機能ブロックについての前記優先度を、前記メモリ部のメモリ容量によっても規定して、前記優先ジョブ登録部に登録する、請求項２０に記載の複合機用制御プログラム。
【発明の詳細な説明】
【技術分野】
【０００１】
本発明は、複合機に関し、特に、ＰＣプリンタやファクシミリやコピーなどの機能を実現する複合機およびその制御方法に関する。
【背景技術】
【０００２】
従来の複合機では、次に述べるような制御が行われている。
【０００３】
第１の制御方法は、受信画情報をメモリに記憶しておき、一定量の受信画情報が蓄積された時に節電モードを解除して、一括印刷する方法である。
【０００４】
例えば、特開平５−１６７８１２号公報（特許文献１）は、消費電力の低減を意図し、節電モード設定時にはファクシミリ受信した画情報を画像メモリに蓄積する、画像通信装置を開示している。この特許文献１に開示された画像通信装置は、一定量の受信画像情報が蓄積された場合に、蓄積された受信画像情報の記録を行わせる一括記録モードと、時刻設定部に設定した時刻によって即時記録モード又はメモリ蓄積して記録を保留するモードを切り替える機能を有し、記録部のヒータへの通電を制御する方法を採用している。
【０００５】
第２の制御方法は、即時に印刷するモードとメモリにデータを記憶するモードとを時間で切り替えて制御する方法である。
【０００６】
第３の制御方法は、周囲温度を検知する温度センサを設け、その温度を記憶し、周囲温度が最も高い時間帯にメモリ内のデータを印刷するように制御する方法である。
【０００７】
例えば、特開２００４−２４８２２７号公報（特許文献２）は、定着ヒータの立ち上げ回数を減らし、効率的な省エネルギ運転を行う、マルチファンクション機能を備えた画像形成装置を開示している。この特許文献２に開示された画像形成装置では、周囲温度を検知する温度センサを設け、その温度を記憶し、周囲温度が最も高い時間帯に今まで受信した画像データを保存してあるＨＤＤから印刷するように制御する方法を採用している。
【０００８】
また、特開２００２−４４３０７号公報（特許文献３）は、省電力効果を高めたファクシミリ装置を開示している。この特許文献３に開示されたファクシミリ装置は、通信相手先のプライオリティに関するテーブルを格納するテーブル格納部を備える。このテーブルは、通信相手先と、その通信相手先に対応する記録条件により構成されている。記録条件には、対応する通信相手先から省電力モード時に受信した画データをいつ記録するかが指定されている。例えばプライオリティのある通信相手先の場合には、「すぐに記録する」旨が登録されている。また、プライオリティのない通信相手先については、例えば記録を開始する時刻あるいは時間の指定や、まとめて記録する件数の指定などを行うことができる。制御部は、省電力モード中に着呼した場合、着呼時に通信部で受信した通信相手先の発信者情報に基いてテーブルを参照し、通信相手先にプライオリティがあるか否かを判断する。通信相手先にプライオリティがあると判断した場合、省電力モードから復帰して記録部の定着器のヒートアップを開始するとともに、通信相手先から受信した画像を画像メモリにいったん格納する。定着器が所定温度までヒートアップされて記録可能になると、画像メモリから受信した画像を読み出して記録部に記録させる。通信相手先にプライオリティがないと判断した場合には、受信後にすぐに画像を記録するのではなく、省電力モードを保ったまま、受信した画像を画像メモリへ蓄積する。上述のテーブルに含まれる通信相手先に対応した記録条件に従って記録する。記録条件として設定されている件数だけ受信したらまとめて記録を開始したり、指定時刻になったらまとめて記録する等といったことが可能である。省電力モードの効率を高めるため、通常モードに移行したときにプライオリティなしとして画像メモリに格納されているすべての画像を記録してもよい。通信相手先のプライオリティに関するテーブルは、制御部で通信相手先のプライオリティの有無を判断するために利用されるものである。
【０００９】
上記特許文献３において、読取部を設けて、読取部で読み取った原稿の画像を通信部を介して外部のファクシミリ装置へ送信できるようにしたり、原稿をコピーできるようにしてもよい。また、表示部を設けて、ファクシミリ装置がどのモードにあるかを表示したり、画像メモリに蓄積されたデータ量や動作状態を表示してもよい。さらに、外部記憶装置などを接続していてもよし、ＰＣインタフェースを設けてコンピュータなどの機器を接続してもよい。
【００１０】
特開２００１−２６１６３号公報（特許文献４）は、コピー／プリント機能と待機モードとの切り替え回数を低減でき、結果として効率的な省エネルギ制御を実施可能な画像形成装置を開示している。この特許文献４に開示された画像形成装置（デジタル複写機）は、各種データが格納されるハードディスクで代表される外部記憶装置（ＨＤＤ）を備える。ＨＤＤには、コピー／プリントジョブとしての管理情報と画像データとが記憶されるようになっている。上記管理情報は、受付番号、保存ユーザ情報、保存時間、優先度、処理状態、コピーモード、画像データ取り込み完了情報によって構成されている。優先度は、たとえば、１〜４の４段階であり、優先度１は、すぐに出力（最優先で出力）を示し、優先度２は任意時間Ａに出力（一番近い出力設定時間）を示し、優先度３は、任意時間Ｂに出力（任意時間Ａから一定時間後の出力設定時間）を示し、優先度４は、任意時間Ｃに出力（次の日の朝一番での出力）を示している。
【００１１】
特許文献４において、ＣＰＵは、ＨＤＤ内の未処理の先頭のコピー／プリントジョブを検索し、この検索したコピー／プリントジョブの優先度を調べる。これにより、ＣＰＵは、優先度１の場合、優先度の出力処理と判断し、現在、省電力モード中か否かをチェックし、このチェックの結果、省電力モードの場合には、省電力モードを解除し、プリント部によりプリント可能となった際に、上記コピー／プリントジョブのコピーモードと画像データをＨＤＤから読出し、プリント部へ出力することにより、プリンタ部でプリントアウトする。出力予定時間までの時間間隔が所定時間よりも短い場合、ＣＰＵは上記コピー／プリントジョブに対するプリント処理を繰り上げて行う。上記保存ユーザ情報、優先度、コピー（プリント）モードは、使用者の入力項目となり、上記デジタル複写機による画像データの場合には操作パネルにより設定され、ＰＣからのプリントデータの場合にはＰＣにより設定されるようになっている。利用者は操作パネルの設定表示部を用いて優先予約を選択し、保存ユーザ情報、優先度、コピーモードを設定し、減光をスキャナ部にセットし、コピー開始キーを押下する。
【先行技術文献】
【特許文献】
【００１２】
【特許文献１】特開平５−１６７８１２号公報
【特許文献２】特開２００４−２４８２２７公報
【特許文献３】特開２００２−４４３０７号公報
【特許文献４】特開２００１−２６１６３号公報
【発明の概要】
【発明が解決しようとする課題】
【００１３】
しかしながら、従来の技術においては、次のような課題がある。
【００１４】
第１の課題は、特許文献１〜３においてはすべてファクシミリの記録出力を対象にしており、他の動作モードに対して対応していないということである。
【００１５】
第２の課題は、時間設定やメモリ量や温度設定により節電モードの解除を実施し記録出力するため、消費電力を低減する効果は期待できるが、ユーザの意思が反映されずに印刷される事が多く、使いづらくなってしまう事である。
【００１６】
また、使いやすくする場合には節電モードへ入る時間を少なくする事になるので、消費電力低減への効果が少なくなる事が懸念される。
【００１７】
特許文献３は、ファクシミリ装置について記述しているが、他の構成についての記述もある。しかしながら、その他の動作モードについての具体的な記述がなく、コピーやＰＣプリントなどにおいての節電対策動作がどのようになされるのか不明である。また、特許文献３では、通常モードに移行したときに、画像メモリに格納されているすべての画像を記録している。すなわち、特許文献３では、一括記録するタイミングは、定着器のヒートアップとは無関係である。
【００１８】
一方、特許文献４は、コピーおよびＰＣプリント動作について記述している。しかしながら、特許文献４では、その他の動作モード（例えば、ファクシミリ受信動作）での具体的な技術が無く動作について不明である。また、特許文献４では、消費電力低減の効果やユーザの使い勝手への影響が分からない。
【００１９】
また、特許文献４では、コピー／プリントジョブとしての管理情報を記憶するテーブルが設定でき、優先度を設定して装置の動作機能ができる。しかしながら、特許文献４において、優先度で設定できる管理情報としては「時間」に対しての設定のみとなっている。すなわち、特許文献４では、各動作モードでのユーザが希望する任意の項目（例えば、時間、受信ジョブ数、動作起動までの回数）での管理情報を登録できる構成となっていない。さらに、特許文献４では、優先度設定後の動作については装置側が主導した動作となり、ユーザが希望するとおりに細かい動作を指定する事ができない。
【００２０】
さらに、特許文献４では、未処理の先頭のコピー／プリントジョブの出力予定時間までの時間間隔が所定時間よりも短い場合に、当該コピー／プリントジョブに対するプリント処理を繰り上げて行っているに過ぎない。すなわち、特許文献４では、他の未処理のコピー／プリントジョブをも一括してプリント処理を繰り上げて行っている訳ではない。
【００２１】
本発明の目的は、定着部のヒータのヒートアップ回数を削減し、消費電力を抑える事ができる複合機およびその制御方法を提供することにある。
【００２２】
本発明の他の目的は、各機能ブロックの記録出力の優先度をフレキシブルに設定する事を可能にした複合機およびその制御方法を提供することにある。
【００２３】
本発明のさらに他の目的は、ユーザの使い勝手がよく、かつ省エネ対応が可能な複合機およびその制御方法を提供することにある。
【課題を解決するための手段】
【００２４】
本発明に係る複合機は、プリンタ、コピー、およびファクシミリを含む少なくとも３種類の機能ブロックを有する複合機であって、画像データを記憶するメモリ部と、画像データを記録紙に転写する現像部と、この現像部にて記録紙に転写されたトナー画像を熱定着する、ヒータを含む定着部と、この定着部のヒータを制御するヒータ制御部と、各機能ブロックで実施されるジョブごとのプリント動作の優先度に対する、どのような条件の場合にヒートアップ動作を行うかを設定した動作テーブルを予め登録する優先ジョブ登録部と、操作者が装置動作を起動する時或いはファクシミリ受信時に、各ジョブに対して予め登録された動作テーブルの中から優先度の１つを指定し確定して、その確定した優先度ごとの動作テーブルに沿った動作を行う手段と、動作テーブルに沿った動作を行う際に、印刷動作を起動するとした時、ヒータ制御部を制御して定着部のヒータをヒートアップして、画像データを記録出力する手段と、ヒートアップを実施した場合に、メモリ部に記憶しているすべての画像データを読み出して一括記録出力する手段と、記録出力が完了した後、メモリ部の画像データを削除し、ヒータ制御部を制御して定着部のヒータをオフする手段と、を備える。
【発明の効果】
【００２５】
本発明の効果は、定着部のヒータのヒートアップ回数を削減し、消費電力を抑える事ができることである。
【図面の簡単な説明】
【００２６】
【図１】本発明の第１の実施の形態に係る複合機のブロック図である。
【図２】図１に示した複合機における優先ジョブ登録／認識部に予め登録するときの動作を説明するためのフローチャートである。
【図３】図１に示した複合機における、各機能ブロックのジョブにおけるヒータヒートアップ動作テーブルを示す図である。
【図４】図１に示した複合機における、各機能ブロック（スキャナ部、ファクシミリ制御部、ＰＣプリント制御部）の動作起動が発生した場合の動作を説明するためのフローチャートである。
【図５】本発明の第２の実施の形態に係る複合機のブロック図である。
【図６】本発明の第３の実施の形態に係る複合機のブロック図である。
【発明を実施するための形態】
【００２７】
次に、発明を実施するための形態について、図面を参照して詳細に説明する。
【００２８】
図１を参照して、本発明の第１の実施の形態に係る複合機１０について説明する。図示の複合機１０は、ＰＣプリンタやファクシミリやコピーなどの機能を実現する複合機である。換言すれば、複合機１０は、プリンタ、コピー、およびファクシミリを含む少なくとも３種類の機能ブロックを有する複合機である。
【００２９】
図示の複合機１０は、ＰＣプリント制御部１２、スキャナ部１４、ファクシミリ制御部１６、ネットワーク制御部１８、メモリ部２０、主制御部２２、電話回線２４、優先ジョブ登録／認識部２６、プリンタ部２８、および入力操作部３０により構成される。プリンタ部２８は、プリント制御部３２、ヒータ制御部３４、現像部３６、および定着部３８を含んでいる。
【００３０】
この複合機１０は、電子写真式のプリンタ部２８を持っている。複合機１０は、コピー機能や、パーソナルコンピュータからの情報を印刷するＰＣプリンタ機能（ネットワーク経由を含む）や、電話回線２４を介しての画像情報（画像データ）の送受信を行う通常のファクシミリ機能を有する。
【００３１】
次に、図１の複合機１０の構成要素の機能について説明する。
【００３２】
ＰＣプリント制御部１２は、パーソナルコンピュータ（図示せず）からのデータを処理して出力するＰＣプリンタ機能を有する。スキャナ部１４は、原稿を読み取り、画像データに変換する機能を有する。スキャナ部１４は、その変換した画像データをプリンタ部２８を介して記録出力する事でコピー機として機能する。ファクシミリ制御部１６は、電話回線２４を通してのファクシミリ通信を行い、受信した画像データを復号化して出力する機能を有する。
【００３３】
ネットワーク制御部１８は、当該複合機１０をネットワークに接続する機能を有する。ネットワーク制御部１８は、ネットワークを介した複数ユーザからのプリントデータを処理するネットワークプリンタ機能を実現する。
【００３４】
メモリ部２０は、それぞれの機能ブロック（スキャナ部１４、ファクシミリ制御部１６、ＰＣプリント制御部１２）からの画像データを記憶する。電話回線２４はファクシミリ通信を行う電話回線である。
【００３５】
優先ジョブ登録／認識部２６は、後述する図３に図示されるような、各機能ブロック（スキャナ部１４、ファクシミリ制御部１６、ＰＣプリント制御部１２）で実施されるジョブごとのプリント動作の優先度に対する、どのような条件の場合にヒートアップ動作を行うかを設定した動作テーブルを予め登録する。この優先ジョブ登録／認識部２６に登録された優先度ごとの動作テーブルにしたがって、後述するように、プリンタ部２８の動作を起動するように制御される。
【００３６】
プリンタ部２８内のプリント制御部３２は、優先ジョブ登録／認識部２６からの優先度ごとの動作テーブルに沿って、メモリ部２０からの画像データを記録するように制御する。現像部３６は、画像データを記録紙に転写する。定着部３８は、現像部３６にて記録紙に転写されたトナー画像を熱定着する。ヒータ制御部３４は、プリント制御部３２からの指示により定着部３８内のヒータを制御する。
【００３７】
入力操作部３０は、優先ジョブの登録やジョブの優先度指定や動作の起動や装置状態を表示するディスプレイ機能を有する。主制御部２２は、複合機１０全体の動作を制御する。すなわち、主制御部２２は、当該複合機１０のコンピュータとして動作する。
【００３８】
次に、発明の特徴について説明する。
【００３９】
本発明は、ＰＣプリンタやファクシミリやコピーなどの機能を実現する複合機１０において、それぞれの機能で記録紙を出力する時の定着部３８のヒートアップ動作をできる限り削減し、効率的な省エネルギ動作を実現する事を特徴としている。
【００４０】
図１において、メモリ部２０は、各機能ブロック（スキャナ部１４、ファクシミリ制御部１６、ＰＣプリント制御部１２）からの画像データを記憶する。優先ジョブ登録／認識部２６は、前述したように、各機能ブロック（スキャナ部１４、ファクシミリ制御部１６、ＰＣプリント制御部１２）で実施されるジョブごとのプリント動作の優先度に対する、どのような条件の場合にヒートアップ動作を行うかを設定した動作テーブルをあらかじめ登録している。主制御部２２は、優先度ごとの動作テーブルに沿ったプリント動作にて定着部３８のヒータをヒートアップして記録出力した場合には、他の機能や他のジョブにてメモリ部２０に記憶されているジョブの画像データを同時出力するように制御する。
【００４１】
このようにして、本発明では、各機能ブロックが個別に定着部３８のヒータをヒートアップするのではなく、優先度ごとの動作テーブルに沿った動作を行う際に、印刷動作が起動された時にヒートアップする様に制御し、そのジョブに合わせて他のジョブのプリントを行う様にするので、無駄なヒートアップや頻繁にヒートアップされる事を削減し、トータル的に消費電力の削減が図れる。
【００４２】
次に、図１に示す複合機１０の動作について説明する。操作者は、入力操作部３０を介して複合機１０の記録印刷に関する動作を、優先ジョブ登録／認識部２６に予め登録する。
【００４３】
図２のフローチャートを参照して、この時の動作について説明する。電源をＯＮ（ステップＳ２０１）すると、初期登録のモードに移行する（ステップＳ２０２）。入力操作部３０より複合機１０の記録印刷に関する各機能ブロックで実施されるジョブごとのプリント動作の優先度に対する、どのような条件の場合にヒートアップ動作を行うかを設定した動作テーブルを登録する旨の指示を入力（ステップＳ２０３）すると、主制御部２２は、各機能ブロック動作における登録画面を表示する。
【００４４】
ＰＣプリント動作に関する動作についての登録画面が表示され（ステップＳ２０４）ると、操作者は、動作について登録を行う（ステップＳ２０５）。同様に、操作者は、ファクシミリ機能に対する動作登録（ステップＳ２０６、Ｓ２０７）とコピー機能に対する動作登録（ステップＳ２０８、Ｓ２０９）を行う。登録完了（ステップＳ２１０）すると、主制御部２２は、定着部３８のヒータをＯＦＦし（又は確認し）、複合機１０をスタンバイモードにする。
【００４５】
次に、図３を参照して、優先ジョブ登録／認識部２６へ上記動作テーブルを登録したステップＳ２０５、Ｓ２０７、Ｓ２０９について説明する。図３は、優先ジョブ登録／認識部２６へ登録する記録印刷に関する各機能ブロックで実施されるジョブごとのプリント動作の優先度に対する、どのような条件の場合に定着部３８のヒータのヒートアップ動作を行うかを設定したテーブル表（動作テーブル）の例である。
【００４６】
各機能ブロックの動作であるスキャナ（コピー動作）、プリンタ動作、ファクシミリ動作の各機能ブロックからのジョブに対して、主制御部２２は、動作起動時に入力される優先度に従った定着部３８のヒータのヒートアップに対する動作について、テーブル形式で入力できるように制御する。
【００４７】
最初に、スキャナ（コピー）の場合における優先度の例を説明する。
【００４８】
例えば、スキャナ（コピー）の優先度１については、回数の項目に「１」が入っており、他の項目は値が無い。この意味としては、「優先度１のコピー動作ジョブが起動された場合には、（１回目）のジョブにて定着部３８のヒータのヒートアップの動作を起動する事」を表している。
【００４９】
同様にスキャナ（コピー）の優先度２については、メモリ容量の項目に「５」の値が入っている。この意味としては「優先度２のコピー動作が起動された場合には、メモリ部２０の使用容量が（５％）を越えた時に定着部３８のヒータのヒートアップ動作を起動する事」を表している。
【００５０】
また、スキャナ（コピー）の優先度３については、受信ジョブの項目に「３」、回数の項目に「２」が入っている。この意味としては「優先度３のコピー動作が起動された場合には、優先度（３）のコピーのジョブが（２回）起動されたら定着器３８のヒートアップの動作を起動する事」を表している。
【００５１】
次に、プリンタの場合における優先度の例を説明する。
【００５２】
例えば、プリンタの優先度１（欄外の※印箇所）については、回数の項目に「１」が入っており、他の項目は値が無い。この意味としては、「優先度１のプリンタ動作ジョブが起動された場合には、（１回目）のジョブにて定着部３８のヒータのヒートアップの動作を起動する事」を表している。
【００５３】
プリンタの優先度２については、メモリ容量の項目に「５」の値が入っている。この意味としては「優先度２のプリンタ動作が起動された場合には、メモリ部２０の使用容量が（５％）を越えた時に定着部３８のヒータのヒートアップ動作を起動する事」を表している。
【００５４】
また、プリンタの優先度３（欄外の＊印箇所）については、受信ジョブの項目に「３」、回数の項目に「２」が入っている。この意味としては「優先度３のプリンタ動作が起動された場合には、優先度（３）のプリンタのジョブが（２回）起動されたら定着器３８のヒートアップの動作を起動する事」を表している。
【００５５】
同様にプリンタの優先度４（欄外の★印箇所）については、時間の項目に「６」が入っており、メモリ容量の項目に「２０」の値が入っている。この意味としては「優先度４のプリンタ動作が起動された場合には、（６時間）の間に他の要因によるヒートアップが無い時又は、メモリ部２０の使用容量が（２０％）を越えた時に定着部３８のヒータのヒートアップ動作を起動する事」を表している。
【００５６】
図示の例では、プリンタおよびスキャナ（コピー）の機能ブロックについての優先度を、「時間」、「受信ジョブ」、「動作起動までの回数」、および「メモリ容量」の組合せによって規定しているが、これに限定されないのは勿論である。例えば、プリンタおよびスキャナ（コピー）の機能ブロックについての優先度を、少なくとも「時間」、「受信ジョブ」、および「動作起動までの回数」の組合せによって規定してよい。
【００５７】
次に、ファクシミリの場合における優先度についての例を説明する。
【００５８】
ファクシミリにおいては、受身での動作起動となる事がほとんどであるため、優先度を決めて、登録し、通信上で入手した情報等を元に定着部１４のヒートアップ動作を起動する事が多くなる。
【００５９】
また、どのモードでもそれぞれの項目についてはＡＮＤやＯＲなどの論理での組み合わせによる条件も可能となる。
【００６０】
例えば、優先度１（欄外の◎印箇所）についてはＡＮＤで条件をくみ、S-FINEの画品質を１回受信したらヒートアップする。
【００６１】
優先度２（欄外の○印箇所）は、ＯＲの条件で登録し、ファクシミリ受信時から２時間経過した後にヒートアップするか、メモリ部２０のメモリ容量が５％超えたらヒートアップするか、FINEの画品質を受信したらヒートアップする。
【００６２】
優先度３（欄外の●印箇所）は、ＯＲの条件で登録し、１０回のファクシミリ受信を行うか、または、ナンバーディスプレイ機能や、ＴＳＩなどのファクシミリ通信にて入手した相手先電話番号の市外局番を確認して、その番号が047の場合にはヒートアップする。
【００６３】
優先度４（欄外の△印箇所）も、ＯＲの条件で登録し、ファクシミリ受信時から１２時間経過した後にヒートアップするか、メモリ部２０のメモリ容量が８０％を超えたらヒートアップする。
【００６４】
優先度５（欄外の黒三角印箇所）も、ＯＲの条件で登録し、ワンタッチに登録されている番号が１０番目より小さい値か、受信枚数が２０枚を超える原稿を受信した時にヒートアップ動作を行う。
【００６５】
図示の例では、ファクシミリの機能ブロックについての優先度を、「時間」、「相手番号」、「動作起動までの回数」、「メモリ容量」、「ワンタッチ登録番号」、「受信画品質」、「市外局番」、および「受信枚数」の組合せによって規定しているが、これに限定されないのは勿論である。例えば、ファクシミリの機能ブロックについての優先度を、少なくとも「時間」、「動作起動までの回数」、および「受信画品質」の組合せによって規定してよい。
【００６６】
スキャナ（コピー）、プリンタ、ファクシミリなど、どのモードでも条件をユーザが自由に設定できるように準備する。
【００６７】
このように、主制御部２２は、各機能ブロックで実施されるジョブごとのプリント動作の優先度に対する、どのような条件の場合に定着部３８のヒータのヒートアップ動作を行うかを設定した動作テーブルを予め優先ジョブ登録／認識部２６に登録し、フレキシブルに定着部３８のヒータのヒートアップを行えるように制御する。
【００６８】
尚、このテーブルについては一例をあげたが、パラメータを増やせる構成にしておき、条件も自由に設定できるように準備してよい。
【００６９】
次に、図４のフローチャートを参照して、機能ブロック（スキャナ部１４、ファクシミリ制御部１６、ＰＣプリント制御部１２）の動作起動が発生した場合の動作について説明する。
【００７０】
複合機１０の電源をＯＮする（ステップＳ４０１）と、主制御部２２は、初期登録画面に推移する（ステップＳ４０２）。初期登録（図２の手順）が完了すると、主制御部２２は、定着部３８のヒータをＯＦＦする（ステップＳ４０３）。これにより、複合機１０はスタンバイモードに入り、待機状態となる（ステップＳ４０４）。
【００７１】
操作者が装置動作を起動する時或いはファクシミリ受信時には、主制御部２２は、あらかじめ優先ジョブ登録／認識部２６に登録された動作テーブルの中から優先度（図３説明内容）の１つを指定して、ジョブの起動を行う（ステップＳ４０５、Ｓ４０６）。
【００７２】
すなわち、主制御部２２は、ステップＳ４０５、Ｓ４０６で、機能ブロックからの各ジョブに対して、優先ジョブ登録／認識部２６に登録された優先度の１つを選択し付加して、プリント動作を実行する手段として働く。
【００７４】
機能ブロック（スキャナ部１４、ファクシミリ制御部１６、ＰＣプリント制御部１２）の動作起動が発生する（ステップＳ４０５、Ｓ４０６）と、主制御部２２は、入力されたジョブの優先度を確定する（ステップＳ４０７）。主制御部２２は、この確定した優先度ごとの動作テーブルに沿った動作を行う（ステップＳ４０８、図３説明内容）。
【００７５】
動作テーブルに沿った動作を実施した時に印刷動作を起動するとする（ステップＳ４０９のＹＥＳ）。換言すれば、優先度が高いジョブが起動されたとする。この場合には、主制御部２２は、プリンタ部２８のプリント制御部３２を介してヒータ制御部３４を制御して、定着部３８のヒータのヒートアップ動作を起動（ステップＳ４１０）し、記録出力する（ステップＳ４１１）。
【００７６】
すなわち、主制御部２２は、メモリ部２０およびプリンタ部２８と協働して、ステップＳ４０８、ステップＳ４０９のＹＥＳおよびステップＳ４１０で、優先度が高いジョブに対しては、ヒータ制御部３４を制御して定着部３８のヒータをヒートアップして、当該優先度が高いジョブの画像データを記録出力する手段として働く。
【００７７】
印刷動作を起動しないとする（ステップＳ４０９のＮＯ）。換言すれば、優先度が低いジョブが起動されたとする。この場合には、主制御部２２は、プリンタ部２３のプリント制御部３２を介してヒータ制御部３４を制御して、定着部３８のヒータをＯＦＦする（ステップＳ４０３）。これにより、複合機１０はスタンバイモードに入る（ステップＳ４０４）。尚、この場合、主制御部２２は、メモリ部２０に当該優先度が低いジョブの画像データを記憶する動作を行う。
【００７８】
すなわち、主制御部２２は、メモリ部２０と協働して、ステップＳ４０８およびステップＳ４０９のＮＯで、優先度が低いジョブに対しては、メモリ部２０に当該優先度が低いジョブの画像データを記憶したままとする手段として働く。
【００７９】
記録出力を行ったとする（ステップＳ４１１）。この場合には、主制御部２２は、メモリ部２０内に保存されている他のジョブの画像データが無いかを確認し（ステップＳ４１２）、ある場合には（ステップＳ４１２のＮＯ）、メモリ部２０に記憶されているすべての画像データを同時に記録出力する（ステップＳ４１１）。
【００８０】
すなわち、主制御部２２は、メモリ部２０およびプリンタ部２８と協働して、ステップＳ４１１、ステップＳ４１２のＮＯで、ヒートアップを実施した場合に、メモリ部２０に記憶しているすべての画像データを読み出して一括記録出力する手段として働く。
【００８１】
記録出力が完了した後は、主制御部２２は、メモリ部２０内の画像データを削除し（ステップＳ４１３）、プリント制御部を介してヒータ制御部３４を制御して、定着部３８のヒータをＯＦＦする（ステップＳ４０３）。これにより、複合機１０はスタンバイモードに戻る（ステップＳ４０４）。
【００８２】
すなわち、主制御部２２は、メモリ部２０およびプリンタ部２８と協働して、ステップＳ４１２のＹＥＳ、ステップＳ４１３、Ｓ４０３で、記録出力が完了した後、メモリ部２０の画像データを削除し、ヒータ制御部３４を制御して定着部３８のヒータをオフする手段として働く。
【００８３】
以上説明した本発明の第１の実施の形態においては、以下に記載するような効果を奏する。
【００８４】
第１の効果は、定着部３８のヒータのヒートアップ回数を削減し、消費電力を抑える事ができることである。その理由は、機能ブロック（１２，１４，１６）からの各ジョブに対する優先度を付加して動作起動するように制御するようにし、優先度ごとの動作テーブルに沿った動作を行う際に、印刷動作を起動するとした時に、定着部３８のヒータをヒートアップして記録出力を行い、定着部３８のヒートアップを実施した場合には、メモリ部に記憶しているすべての画像データを読み出して一括記録するように動作するからである。
【００８５】
第２の効果は、優先順位（優先度）を付加して機能ブロック（１２，１４，１６）を起動するように制御する事で、ユーザの意思に合致した記録動作を行う事ができ、使いやすい複合機１０を供給する事が可能となることである。
【００８６】
図５を参照して、本発明の第２の実施の形態に係る複合機１０Ａについて説明する。図示の複合機１０Ａは、さらにメール送信部４０を備えている点を除いて、図１に示した複合機１０と同様の構成を有し、動作をする。したがって、図１に示したものと同様の機能を有するものには同一の参照符号を付し、説明の簡略化のために、以下では相違点についてのみ説明する。
【００８７】
メール送信部４０は、操作者が実施したジョブの状況をネットワーク制御部１８を介し、電子メールにて操作者に通知するように制御する。
【００８８】
このような第２の実施の形態に係る複合機１０Ａでは、電子メールでの記録出力に対しての通知を可能とする事で、さらに使い勝手が上がる効果が得られる。
【００８９】
図６を参照して、本発明の第３の実施の形態に係る複合機１０Ｂについて説明する。図示の複合機１０Ｂは、さらに番号ディスプレイ検出部４２を備えている点を除いて、図１に示した複合機１０と同様の構成を有し、動作をする。したがって、図１に示したものと同様の機能を有するものには同一の参照符号を付し、説明の簡略化のために、以下では相違点についてのみ説明する。
【００９０】
番号ディスプレイ検出部４２は、ファクシミリ受信時の相手先電話番号を認識する機能を有する。
【００９１】
このような第３の実施の形態に係る複合機１０Ｂでは、上記相手先電話番号を認識する機能を追加する事によって、ファクシミリ動作においても優先のジョブが設定しやすくなる。また、登録した相手先からのファクシミリ受信については、優先的に記録する等の機能も付加することにより、さらにきめ細かい設定ができるようになり、使いやすさの向上が期待できる。
【００９２】
以下に、本発明の態様について説明する。
【００９３】
本発明の第１の態様による複合機は、プリンタ、コピー、およびファクシミリを含む少なくとも３種類の機能ブロックを有する複合機であって、画像データを記憶するメモリ部と、画像データを記録紙に転写する現像部と、この現像部にて記録紙に転写されたトナー画像を熱定着する、ヒータを含む定着部と、この定着部のヒータを制御するヒータ制御部と、各機能ブロックで実施されるジョブごとのプリント動作の優先度に対する、どのような条件の場合にヒートアップ動作を行うかを設定した動作テーブルを予め登録する優先ジョブ登録部と、操作者が装置動作を起動する時或いはファクシミリ受信時に、各ジョブに対して予め登録された動作テーブルの中から優先度の１つを指定し確定して、その確定した優先度ごとの動作テーブルに沿った動作を行う手段と、動作テーブルに沿った動作を行う際に、印刷動作を起動するとした時、ヒータ制御部を制御して定着部のヒータをヒートアップして、画像データを記録出力する手段と、ヒートアップを実施した場合に、メモリ部に記憶しているすべての画像データを読み出して一括記録出力する手段と、記録出力が完了した後、メモリ部の画像データを削除し、ヒータ制御部を制御して定着部のヒータをオフする手段と、を備える。
【００９４】
上記本発明の第１の態様による複合機において、上記複合機は、操作者が実施したジョブの状況を操作者に通知するメール送信部を更に有することが好ましい。さらに、複合機は、ファクシミリ受信時に相手先電話番号を表示する番号ディスプレイ検出部を更に有することが好ましい。上記優先ジョブ登録部は、プリンタおよびコピーの機能ブロックについての優先度を、少なくとも時間、受信ジョブ数、および動作起動までの回数の組合せによって規定して登録してよい。上記優先ジョブ登録部は、プリンタおよびコピーの機能ブロックについての優先度を、メモリ部のメモリ容量によっても規定して登録してよい。上記優先ジョブ登録部は、ファクシミリの機能ブロックについての優先度を、少なくとも時間、動作起動までの回数、および受信画品質の組合せによって規定して登録してよい。上記優先ジョブ登録部は、ファクシミリの機能ブロックについての優先度を、メモリ部のメモリ容量によっても規定して登録してよい。
【００９５】
本発明の第２の態様による複合機の制御方法は、プリンタ、コピー、およびファクシミリを含む少なくとも３種類の機能ブロックを有する複合機を制御する方法である。複合機は、画像データを記憶するメモリ部と、画像データを記録紙に転写する現像部と、この現像部にて記録紙に転写されたトナー画像を熱定着する、ヒータを含む定着部と、この定着部のヒータを制御するヒータ制御部と、を含む。上記複合機の制御方法は、各機能ブロックで実施されるジョブごとのプリント動作の優先度に対する、どのような条件の場合にヒートアップ動作を行うかを設定した動作テーブルを予め優先ジョブ登録部に登録するステップと、操作者が装置動作を起動する時或いはファクシミリ受信時に、各ジョブに対して予め登録された動作テーブルの中から優先度の１つを指定し確定して、その確定した優先度ごとの動作テーブルに沿った動作を行うステップと、動作テーブルに沿った動作を行う際に、印刷動作を起動するとした時、ヒータ制御部を制御して定着部のヒータをヒートアップして、画像データを記録出力するステップと、ヒートアップを実施した場合に、メモリ部に記憶しているすべての画像データを読み出して一括記録出力するステップと、記録出力が完了した後、メモリ部の画像データを削除し、ヒータ制御部を制御して定着部のヒータをオフするステップと、を含む。
【００９６】
上記本発明の第２の態様による複合機の制御方法において、上記複合機の制御方法は、操作者が実施したジョブの状況を操作者に通知するステップを更に有することが好ましい。さらに、上記複合機の制御方法、ファクシミリ受信時に相手先電話番号を表示するステップを更に有することが好ましい。プリンタおよびコピーの機能ブロックについての優先度を、少なくとも時間、受信ジョブ数、および動作起動までの回数の組合せによって規定して、優先ジョブ登録部に登録してよい。プリンタおよびコピーの機能ブロックについての優先度を、メモリ部のメモリ容量によっても規定して、優先ジョブ登録部に登録してよい。ファクシミリの機能ブロックについての優先度を、少なくとも時間、動作起動までの回数、および受信画品質の組合せによって規定して、優先ジョブ登録部に登録してよい。ファクシミリの機能ブロックについての優先度を、メモリ部のメモリ容量によっても規定して、優先ジョブ登録部に登録してよい。
【００９７】
本発明の第３の態様による複合機用制御プログラムは、プリンタ、コピー、およびファクシミリを含む少なくとも３種類の機能ブロックを有する複合機であって、画像データを記憶するメモリ部と、画像データを記録紙に転写する現像部と、この現像部にて記録紙に転写されたトナー画像を熱定着する、ヒータを含む定着部と、この定着部のヒータを制御するヒータ制御部と、を含む複合機のコンピュータに、各機能ブロックで実施されるジョブごとのプリント動作の優先度に対する、どのような条件の場合にヒートアップ動作を行うかを設定した動作テーブルを予め優先ジョブ登録部に登録する手順と、操作者が装置動作を起動する時或いはファクシミリ受信時に、各ジョブに対して予め登録された動作テーブルの中から優先度の１つを指定し確定して、その確定した優先度ごとの動作テーブルに沿った動作を行う手順と、動作テーブルに沿った動作を行う際に、印刷動作を起動するとした時、ヒータ制御部を制御して定着部のヒータをヒートアップして、画像データを記録出力する手順と、ヒートアップを実施した場合に、メモリ部に記憶しているすべての画像データを読み出して一括記録出力する手順と、記録出力が完了した後、メモリ部の画像データを削除し、ヒータ制御部を制御して定着部のヒータをオフする手順と、を実行させるためのものである。
【００９８】
上記本発明の第３の態様による複合機用制御プログラムにおいて、上記複合機用制御プログラムは、複合機のコンピュータに、操作者が実施したジョブの状況を操作者に通知する手順を更に実行させることが好ましい。さらに、上記複合機用制御プログラムは、ファクシミリ受信時に相手先電話番号を表示する手順を更に実行させることが好ましい。上記優先度を登録する手順は、プリンタおよびコピーの機能ブロックについての優先度を、少なくとも時間、受信ジョブ数、および動作起動までの回数の組合せによって規定して、優先ジョブ登録部に登録するものであってよい。上記優先度を登録する手順は、プリンタおよびコピーの機能ブロックについての優先度を、メモリ部のメモリ容量によっても規定して、優先ジョブ登録部に登録するものであってよい。上記優先度を登録する手順は、ファクシミリの機能ブロックについての優先度を、少なくとも時間、動作起動までの回数、および受信画品質の組合せによって規定して、優先ジョブ登録部に登録するものであってよい。上記優先度を登録する手順は、ファクシミリの機能ブロックについての優先度を、メモリ部のメモリ容量によっても規定して、優先ジョブ登録部に登録するものであってよい。
【００９９】
以上、実施形態を参照して本発明を説明したが、本発明は上記実施形態に限定されるものではない。本発明の構成や詳細は、本発明のスコープ内で当業者が理解し得る様々な変更をすることができる。
【符号の説明】
【０１００】
１０，１０Ａ，１０Ｂ    複合機
１２    ＰＣプリント制御部
１４    スキャナ部
１６    ファクシミリ制御部
１８    ネットワーク制御部
２０    メモリ部
２２    主制御部
２４    電話回線
２６    優先ジョブ登録／認識部
２８    プリンタ部
３０    入力操作部
３２    プリント制御部
３４    ヒータ制御部
３６    現像部
３８    定着部
４０    メール送信部
４２    番号ディスプレイ検出部
【図１】
0005451224.tif 000002
【図２】
0005451224.tif 000003
【図３】
0005451224.tif 000004
【図４】
0005451224.tif 000005
【図５】
0005451224.tif 000006
【図６】
0005451224.tif 000007